(57)【要約】      （修正有）【課題】撮影前に、撮影光量変更後の画像を確認することが可能な眼科撮影装置の提供。【解決手段】被検眼眼底を照明する照明手段の照明光量を変更する照明光量変更手段と、該照明光量変更手段の変更結果に基づき、前記撮像手段で撮像された前記照明光量変更手段による変更前の眼底像を処理する画像処理手段を有する眼科撮影装置。【選択図】図１
2005261448.tif 000002
【特許請求の範囲】
【請求項１】
被検眼眼底を照明する照明手段と、該照明手段により照明された眼底像を撮像する撮像手段と、前記照明手段の照明光量を変更する照明光量変更手段と、該照明光量変更手段の変更結果に基づき、前記撮像手段で撮像された前記照明光量変更手段による変更前の眼底像を処理する画像処理手段を有することを特徴とする眼科撮影装置。
【請求項２】
前記画像処理手段は、前記照明光量変更手段による変更後、前記撮像手段により撮像された眼底像と同等の光量分布となるよう処理することを特徴とする請求項１記載の眼科撮影装置。
【発明の詳細な説明】
【技術分野】
【０００１】
本発明は、健康診断等で使用される、眼底カメラ等の眼科撮影装置に関する。
【背景技術】
【０００２】
成人病健診や人間ドックなどでは、主として糖尿病や高血圧症等の全身疾患の有無の検査のため、眼底撮影が行われている。
【０００３】
一般に眼底の反射程度は人種や年齢などに基づく個人差があるため、必要に応じて撮影時の光量補正を行っている。光量補正に関する従来技術としては、以下のような技術が開示されている。
【０００４】
特開平０８−０３３６１１においては、光量補正を実施する際、眼底画像を撮像する媒体により光量を変更する構成が開示されている。
【０００５】
また、特登録０３１２８２７１では、撮影光量の基準値を明るめ、暗めに設定可能な構成されている。
【０００６】
更に、特開２００１−２８５６２７の医用画像出力システムでは、設定した画像出力形式（画像配置、補間倍率設定モード）のプレビュー画像をプレビューボタン押下により表示できる構成が開示されている。
【特許文献１】特開平０８−０３３６１１
【特許文献２】特登録０３１２８２７１
【特許文献３】特開２００１−２８５６２７
【発明の開示】
【発明が解決しようとする課題】
【０００７】
従来は撮影光量補正を行う場合、どの程度変更するかの程度は、赤外観察像から撮影者の経験により判断、または、実際に撮影を行い、この撮影画像から判断して決めていた。
【０００８】
従って、何度かの試行錯誤が必要となり、被検者に対する複数回撮影の負担を強いるばかりでなく、撮影者についても１回の撮影に多大な時間を要していた。
【０００９】
本発明の目的は、上述の問題点を解消し、撮影前に、撮影光量変更後の画像を確認することが可能な眼科撮影装置を提供することにある。
【課題を解決するための手段】
【００１０】
上記目的を達成するための本発明に係る眼科撮影装置は、被検眼眼底を照明する照明手段と、該照明手段により照明された眼底像を撮像する撮像手段と、前記照明手段の照明光量を変更する照明光量変更手段と、該照明光量変更手段の変更結果に基づき、前記撮像手段で撮像された前記照明光量変更手段による変更前の眼底像を処理する画像処理手段を有する。
【発明の効果】
【００１１】
以上説明したように、本発明に係る眼科撮影装置においては、撮影光量の変更により、予め記憶されている被検眼の画像を撮影光量変更程度に応じて画像処理するように構成したので、撮影光量変更操作のみで、変更後の撮影光量値で撮影された場合の光量に関する良否を判断でき、迅速かつ、被検者の負担を軽減できる効果がある。
【発明を実施するための最良の形態】
【００１２】
本発明を図１〜図６に図示の装置構成図及びフローチャートを用いて詳細に説明する。
【００１３】
（実施例）
図１は実施例の装置構成図を示し、１はランプ等の観察／アライメント用光源、２は赤外光を透過する可視カットフィルター、３はコンデンサーレンズ、４はストロボ光源等の静止画撮影用光源、５はリレーレンズ、６は穴あきミラー、Ｅは被検眼、７は対物レンズ、８は前眼部観察に光路内に挿入される前眼部観察レンズ、９は合焦機能を有するレンズ系、１０は図面における右端を軸に左側が上に跳ね上がる跳ね上げミラー、１１は撮影用センサーユニット、１２はレンズ、１３は観察用センサーユニット、１４は観察画像用モニタ、１５は撮影用センサーユニット１１で撮像された画像の一次記憶、処理を行う画像処理部、１６は画像表示用モニタ、１７は撮影光量変更スイッチである。
【００１４】
図示しない電源スイッチの操作により、通電されると、図示しない駆動制御部の制御により前眼部観察レンズ８が光路に挿入される。また、前眼部を照明するための図示しない赤外光源から発せられた赤外光により、被検眼Ｅの前眼部が照明され、前眼部からの反射光は、対物レンズ７を通り、前眼部観察レンズ８、穴あきミラー６の穴部、レンズ系９を経て、跳ね上げミラー１０により反射され、レンズ１２を経由して観察用センサーユニット１３へ導かれる。観察用センサーユニット１３で光電変換された前眼部観察画像は観察画像用モニタ１４上に映出される。
【００１５】
撮影者は、観察画像用モニタ１４上の前眼部観察像を用いて、対物レンズを含む図示しない光学ユニットを移動させ、被検眼前眼部の位置合わせを行う（ステップ１）。
【００１６】
被検眼前眼部の位置合わせ等が終了したら、図示しない前眼部／眼底部切換えスイッチを押下する（ステップ２）。
【００１７】
これにより図示しない駆動制御部の制御により、前眼部観察レンズ８が光路から離脱し、さらに観察／アライメント用光源１が点灯する。
【００１８】
観察／アライメント用光源１から発せられた照明光は、可視カットフィルター２により、赤外域のみの波長を持つ光に変換された後、コンデンサーレンズ３、リレーレンズ５を経由して穴あきミラー６のミラー部で反射され、対物レンズ７を通って、被検眼Ｅの眼底部を照明する。眼底部からの反射光は再び対物レンズ７を通り、穴あきミラー６の穴部、レンズ系９を経て、跳ね上げミラー１０により反射され、レンズ１２を経由して観察用センサーユニット１３へ導かれる。観察用センサーユニット１３で光電変換された眼底部観察画像は観察画像用モニタ１４上に映出される。
【００１９】
観察画像用モニタ１４に表示される眼底部観察画像を用いて、被検眼眼底部の撮影部位について位置合わせ、ピント調整を行う（ステップ３）。
【００２０】
被検眼眼底部の位置合わせ等が終了すると、観察画像用モニタ１４に表示される眼底部観察画像における撮影部位の状態により、必要に応じて撮影光量変更スイッチ１７を用いて撮影光量の変更を行う（ステップ４）。
【００２１】
撮影光量の変更が行われると、画像処理部１５内の図示しないメモリ内に記憶されている以前撮影された前記被検眼の眼底画像を元に以下に示す画像処理が実行され、撮影光量変更後の画像を生成する（ステップ５）。
【００２２】
図３は、ルックアップテーブルを示し、横軸が入力画像の画素レベル（例えば左端が黒レベルを示し、右端が白レベルを示す）、縦軸が出力画像の画素レベルである。
【００２３】
図３のルックアップテーブルでは、入力画素レベル＝出力画素レベルの例であるので、ルックアップテーブル処理を施した画像と原画像は同一画像となる。しかしながら、図４に示すルックアップテーブルでは、入力画素レベル（０〜２５５、０が黒レベルとする）の０が出力画素レベルでＬ１を示し、また、入力画素レベルＬ２が出力画素レベルで２５５となるので、ルックアップテーブル処理された画像は原画像にくらべ、明るい画像となる。
【００２４】
図４では、図３のテーブル値をグラフ上で上方に移動した場合を例に挙げたが、逆に下方に移動することにより、原画像にくらべ暗い画像となる。
【００２５】
このように、ルックアップテーブルを用いることにより、全体の濃度レベル変換が可能となる。
【００２６】
従って、画像処理部１５内の図示しないメモリ内に格納されている被検眼の眼底像を原画像として、上記ルックアップテーブル処理を施し、光量変更後画像の生成を行う。なお、ここでルックアップテーブルの変更程度に関しては、画像処理部１５内の図示しないメモリにテーブル形式で記憶されており、図５の例では、撮影光量変更スイッチ１７が「＋補正」、「−補正」等の切換えが可能なスイッチで構成されている場合であり、この場合には、「＋補正」されると、ルックアップテーブルの上下移動量として「＋１０」が設定され、現在のルックアップテーブルが上方向に１０移動する。逆に「−補正」されると、ルックアップテーブルの上下移動量として「−１０」が設定され、現在のルックアップテーブルが下方向に１０移動する。
【００２７】
ここでのルックアップテーブル移動量は、ルックアップテーブル処理結果が、撮影光量をプラス（＋）変更された撮影画像と等価の光量となるように「＋１０」が設定されており、同様に撮影光量をマイナス（−）変更された撮影画像と等価の光量となるように「−１０」が設定されている。
【００２８】
図６では、撮影光量変更スイッチ１７が任意の撮影光量を選択するスイッチで構成されている場合の例であり、この場合にも上記同様、各撮影光量に対応したルックアップテーブル値が一つ決まるようなテーブルとして設定されている。
【００２９】
なお上記説明では画像のレベル変換処理をルックアップテーブル処理にて行う場合を例に挙げて説明したが、これに限ることなく、原画像の画素値に撮影光量値に対応した所定量を加算若しくは乗算することとしても同様な効果が得られる。
【００３０】
生成された画像は画像表示用モニタ１６上に表示される（ステップ６）。
【００３１】
表示された画像に基づき、再度撮影光量変更を実施するか判断を行う（ステップ７）。
【００３２】
変更の必要がない場合には、撮影者は図示しない撮影スイッチを押下し被検眼眼底の撮影を行う（ステップ８）。
【００３３】
まず静止画撮影用光源４が点灯し、静止画撮影用光源４からの照明光はリレーレンズ５を経由して穴あきミラー６のミラー部で反射され、対物レンズ７を通って、被検眼Ｅの眼底部を照明する。眼底部からの反射光は再び対物レンズ７を通り、穴あきミラー６の穴部、レンズ系９を経て、跳ね上げミラー１０が跳ね上げられることにより、撮影用センサーユニット１１に導かれる。
【００３４】
撮影用センサーユニット１１で結像された被検眼眼底像は、画像表示用モニタ１６上に映出される。
【図面の簡単な説明】
【００３５】
【図１】本発明の装置構成図
【図２】本発明の動作フロー
【図３】ルックアップテーブルの例
【図４】ルックアップテーブルの例
【図５】撮影光量とルックアップテーブル移動量テーブルの例
【図６】撮影光量とルックアップテーブル移動量テーブルの例
【符号の説明】
【００３６】
１  観察／アライメント用光源
２  可視カットフィルター
３  コンデンサーレンズ
４  静止画撮影用光源
５  リレーレンズ
６  穴あきミラー
７  対物レンズ
８  前眼部観察レンズ
９  レンズ系
１０  跳ね上げミラー
１１  撮影用センサーユニット
１２  レンズ
１３  観察用センサーユニット
１４  観察画像用モニタ
１５  画像処理部
１６  画像表示用モニタ
１７  撮影光量変更スイッチ
【図１】
2005261448.tif 000003
【図２】
2005261448.tif 000004
【図３】
2005261448.tif 000005
【図４】
2005261448.tif 000006
【図５】
2005261448.tif 000007
【図６】
2005261448.tif 000008